【手続補正書】
【提出日】平成20年4月16日(2008.4.16)
【手続補正１】
【補正対象書類名】特許請求の範囲
【補正対象項目名】全文
【補正方法】変更
【補正の内容】
【特許請求の範囲】
【請求項１】
通信ネットワーク（１０４）において通信セッションのための移動局（１０２、２０２、３０２）のグループを作成および管理する方法であって、該通信セッションは、それぞれの移動局のユーザが相互に通信する通信セッションであり、該方法は、
該グループのメンバーを定義する少なくとも１つのルールを受信することと、
該少なくとも１つのルールに従って決定された該移動局からのメンバーを該グループに加えることであって、該加えることは、どのユーザおよび／または該ユーザの該移動局が、該少なくとも１つルールに一致するかを決定することを含む、ことと
を包含し、
該方法は、
該少なくとも１つのルールが、グループアドレスに関連して受信され、該グループに、グループ通信セッションを開始するために１つ以上の特定の移動局またはユーザに対して該通信ネットワーク（１０４）に格納および／または提供されたそれぞれの情報に従った該グループのメンバーが動的に加えられることを特徴とする、方法。
【請求項２】
前記少なくとも１つのルールは、それぞれの移動局の前記ユーザの少なくとも１つの特徴を定義する、請求項１に記載の方法。
【請求項３】
前記少なくとも１つのルールは、それぞれの移動局の前記ユーザの少なくとも１つの個人的な好みおよび／または少なくとも１つの共通の興味を定義する、請求項２に記載の方法。
【請求項４】
前記少なくとも１つのルールは、事前に選択された移動局のグループを定義する、請求項１に記載の方法。
【請求項５】
前記少なくとも１つのルールは、移動局からサーバ（３０８、３１０、３１４）に伝達される、請求項１〜４のいずれか一項に記載の方法。
【請求項６】
前記少なくとも１つのルールは、拡張可能マークアップ言語（ＸＭＬ）フォーマットで格納される、請求項１〜５のいずれか一項に記載の方法。
【請求項７】
前記通信ネットワーク（１０４）に格納または提供された情報は、前記１つ以上の特定の移動局または該移動局のユーザに公表されるそれぞれのプレゼンスおよび／またはロケーション情報を含む、請求項１〜６のいずれか一項に記載の方法。
【請求項８】
前記１つ以上の特定の移動局またはユーザに対する情報は、１つ以上のサーバ（３１０、３１４）に格納される、請求項１〜７のいずれか一項に記載の方法。
【請求項９】
前記１つ以上の特定の移動局またはユーザに対する情報は、拡張可能マークアップ言語（ＸＭＬ）フォーマットで格納される、請求項１〜８のいずれか一項に記載の方法。
【請求項１０】
前記加えることに応答して、前記動的なグループのメンバーの通知を提供することを包含する、請求項１〜９のいずれか一項に記載の方法。
【請求項１１】
前記移動局のどのユーザが前記少なくとも１つのルールに一致するかを決定することは、動的なグループのメンバーを定義するサーバ（３１０）から前記１つ以上の特定の移動局および／またはユーザの通知を要求および受信することを包含し、該サーバ（３１０）は、該移動局のユーザによって公表されるか、または該移動局のユーザの代わりに公表されるプレゼンスおよび／またはロケーション情報を格納する、請求項７か、請求項７〜９のいずれか一項に従属する場合の請求項１０かに記載の方法。
【請求項１２】
前記決定することは、１つ以上の特定の移動局が、該１つ以上の特定の移動局に対するそれぞれのロケーション情報に従って前記少なくとも１つのルールに一致するという通知を受信することを包含する、請求項１１に記載の方法。
【請求項１３】
移動局に対するプレゼンス情報および／またはロケーション情報に応答して定義される１つ以上のルールに一致する移動局（１０２、２０２、３０２）の通知を提供する少なくとも１つサーバ（３０８）に接続することを包含し、該接続することは、該少なくとも１のルールに応答する、請求項１２に記載の方法。
【請求項１４】
接続するための前記少なくとも１つのサーバ（３０８）のそれぞれに対してアドレスを決定することを包含し、該アドレスは、該サーバに対するアドレスのリソースリストから決定される、請求項１３に記載の方法。
【請求項１５】
前記加えることを早めるように、一致する個々の移動局が前記少なくとも１つのサーバ（３０８）によって決定されるとき、該一致する個々の移動局の通知を受信することを包含する、請求項１３または１４に記載の方法。
【請求項１６】
前記動的なグループを維持し、前記少なくとも１つのルールに従って、メンバーとしての前記移動局またはユーザのうちの特定の１つを除くことを包含する、請求項１〜１５のいずれか一項に記載の方法。
【請求項１７】
前記移動局またはユーザのうちの特定の１つが、もはや前記少なくとも１つのルールに一致しないという通知を受信することを包含する、請求項１３〜１５のいずれか一項に記載の方法。
【請求項１８】
前記少なくとも１つのルールの変更を受信することと、該変更に従って前記動的なグループの前記メンバーを管理することとを包含し、該管理することは、メンバーを追加することと、メンバーを除くこととのうちの少なくとも１つを包含する、請求項１〜１７のいずれか一項に記載の方法。
【請求項１９】
前記グループ通信セッションにおける前記メンバー間の通信を容易にするために通信サーバ（３０４）に前記動的なグループのメンバーを通知することを包含する、請求項１〜１８のいずれか一項に記載の方法。
【請求項２０】
移動局を用いるユーザに前記動的なグループの前記メンバーを通知することを包含する、請求項１〜１９のいずれか一項に記載の方法。
【請求項２１】
前記少なくとも１つのルールに一致する移動局の検索を拡大することを包含する、請求項１〜２０のいずれか一項に記載の方法。
【請求項２２】
前記少なくとも１つのサーバ（３０８）に接続することは、前記検索を異なるドメインおよびネットワークのうちの少なくとも１つに拡大する、請求項１３に従属する場合の請求項２１に記載の方法。
【請求項２３】
前記少なくとも１つのサーバ（３０８）の１つ以上により、１つ以上の他のサーバにさらに接続することにより、前記所定のルールに一致する移動局の検索を拡大することを包含する、請求項１３〜１５か、請求項１７か、請求項１３に従属する場合の請求項２１または２２かに記載の方法。
【請求項２４】
前記さらに接続することは、第１の移動局のホームネットワークおよびローミングネットワークを含むように移動局の検索を拡大する、請求項２３に記載の方法。
【請求項２５】
前記グループは、メーデーグループを含み、
前記方法は、
第１の移動局（１０２、２０２、３０２）から要求を受信することにより、該第１の移動局に近接する少なくとも１つの第２の通信デバイスとグループ通信を開始することと、
該メーデーグループに対する所定のルールに応答して決定される該移動局のうちの特定のいくつかの移動局を該メーデーグループに加えることと
を包含する、請求項１〜２４のいずれか一項に記載の方法。
【請求項２６】
通信ネットワーク（１０４）において通信セッションのための移動局（１０２、２０２、３０２）のグループを作成および管理するサーバ（３０８）であって、該通信セッションは、それぞれの移動局のユーザが相互に通信する通信セッションであり、該サーバは、
該通信ネットワーク（１０４）を介してメッセージを送受信する通信システムと、
該通信システムに結合されたプロセッサであって、メッセージを処理するプロセッサと、
該プロセッサに結合されたメモリであって、該グループのメンバーを定義する少なくとも１つのルールを受信することと、該少なくとも１つのルールに従って決定される該移動局からのメンバーを該グループに加えることとを実行させるように該プロセッサを構成する命令を格納するメモリと
を備え、
該加えることは、どのユーザおよび／または該ユーザの該移動局が、該少なくとも１つルールに一致するかを決定することを包含し、
該サーバは、
該プロセッサが、グループアドレスに関連して該少なくとも１つのルールを受信することと、グループ通信セッションを開始するために１つ以上の特定の移動局またはユーザに対して該通信ネットワーク（１０４）に格納および／または提供されたそれぞれの情報に従った該グループのメンバーを該グループに動的に加えることとを実行するように構成されていることを特徴とする、サーバ。
【請求項２７】
前記メモリは、それぞれの移動局の前記ユーザの少なくとも１つの特徴を定義する前記少なくとも１つのルールを受信させるように前記プロセッサを構成する命令をさらに格納する、請求項２６に記載のサーバ。
【請求項２８】
前記メモリは、それぞれの移動局の前記ユーザの少なくとも１つの個人的な好みおよび／または少なくとも１つの共通の興味を定義する前記少なくとも１つのルールを受信させるように前記プロセッサを構成する命令をさらに格納する、請求項２７に記載のサーバ。
【請求項２９】
前記メモリは、事前に選択された移動局のグループを定義する前記少なくとも１つのルールを受信させるように前記プロセッサを構成する命令をさらに格納する、請求項２６に記載のサーバ。
【請求項３０】
前記メモリは、移動局から前記少なくとも１つのルールを受信させるように前記プロセッサを構成する命令をさらに格納する、請求項２６〜２９のいずれか一項に記載のサーバ。
【請求項３１】
前記メモリは、前記少なくとも１つのルールを拡張可能マークアップ言語（ＸＭＬ）フォーマットで受信させるように前記プロセッサを構成する命令をさらに格納する、請求項２６〜３０のいずれか一項に記載のサーバ。
【請求項３２】
前記メモリは、前記通信ネットワーク（１０４）に格納または提供されたそれぞれの情報であって、前記１つ以上の特定の移動局または該移動局のユーザに対して公表されたそれぞれのプレゼンスおよび／またはロケーション情報を含むそれぞれの情報に従った前記グループのメンバーを該グループに動的に加えさせるように前記プロセッサを構成する命令をさらに格納する、請求項２６〜３１のいずれか一項に記載のサーバ。
【請求項３３】
前記メモリは、移動局に対するプレゼンス情報および／またはロケーション情報に応答して定義される１つ以上のルールに一致する移動局の通知を提供する少なくとも１つサーバに接続させるように前記プロセッサを構成する命令をさらに格納し、該接続は、該少なくとも１のルールに応答する、請求項２６〜３２のいずれか一項に記載のサーバ。
【請求項３４】
前記メモリは、前記メンバー間のグループ通信を容易にするためにサーバ（３０４）へと前記動的なグループのメンバーを提供させるように前記プロセッサを構成する命令をさらに格納する、請求項２６〜３３のいずれか一項に記載のサーバ。
【請求項３５】
前記メモリは、前記移動局および／または該移動局のユーザの代わりに公表されたプレゼンス情報を受信および格納させるように前記プロセッサを構成する命令をさらに格納する、請求項２６〜３４のいずれか一項に記載のサーバ。
【請求項３６】
通信ネットワーク（１０４）において通信セッションのための移動局（１０２、２０２、３０２）のグループを作成および管理するサーバ（３０８）を作動させる方法であって、該通信セッションは、それぞれの移動局のユーザが相互に通信する通信セッションであり、
該方法は、
少なくとも１つのルールに従って決定された該移動局からのメンバーを該グループに加えることであって、該加えることは、どのユーザおよび／または該ユーザの該移動局が、該少なくとも１つルールに一致するかを決定することを含む、ことを包含し、
該方法は、
該少なくとも１つのルールが、グループアドレスに関連して受信されることと、該グループに、グループ通信セッションを開始するために１つ以上の特定の移動局またはユーザに対して該通信ネットワーク（１０４）に格納および／または提供されたそれぞれの情報に従った該グループのメンバーが動的に加えられることとを特徴とする、方法。
【請求項３７】
通信ネットワーク（１０４）における他の移動局間の通信セッションを開始させる移動局（１０２、２０２、３０２）であって、該通信セッションは、それぞれの移動局のユーザが相互に通信する通信セッションであり、該移動局は、
該通信ネットワーク（１０４）を介してメッセージを送受信する通信システム（２１１）と、
該通信システムに結合されたプロセッサ（２３８）であって、メッセージを処理するプロセッサ（２３８）と、
該プロセッサに結合されたメモリ（２２４、２２６）であって、該グループを作成および管理するように適合されたサーバ（３０８）に、該グループのメンバーを定義する少なくとも１つのルールを送信するように該プロセッサを構成する命令を格納するメモリ（２２４、２２６）と
を備え、
該サーバは、該少なくとも１つのルールに従って決定される該移動局からのメンバーを該グループに加え、該加えることは、どのユーザおよび／または該ユーザの該移動局が、該少なくとも１つルールに一致するかを決定することを含み、
該移動局は、
該プロセッサが、グループアドレスに関連して該少なくとも１つのルールを送信するように構成されており、該ルールは、該移動局が該グループ通信セッションを開始できるように、１つ以上の特定の移動局またはユーザに対して該通信ネットワーク（１０４）に格納および／または提供されたそれぞれの情報に従った該グループのメンバーを該サーバが該グループに動的に加えることを可能にすることを特徴とする、移動局（１０２、２０２、３０２）。
【請求項３８】
前記メモリは、それぞれの移動局の前記ユーザの少なくとも１つの特徴を定義する前記少なくとも１つのルールを送信させるように前記プロセッサを構成する命令をさらに格納する、請求項３７に記載の移動局（１０２、２０２、３０２）。
【請求項３９】
前記メモリは、それぞれの移動局の前記ユーザの少なくとも１つの個人的な好みおよび／または少なくとも１つの共通の興味を定義する前記少なくとも１つのルールを送信させるように前記プロセッサを構成する命令をさらに格納する、請求項３８に記載の移動局（１０２、２０２、３０２）。
【請求項４０】
前記メモリは、事前に選択された移動局のグループを定義する前記少なくとも１つのルールを送信させるように前記プロセッサを構成する命令をさらに格納する、請求項３７に記載の移動局（１０２、２０２、３０２）。
【請求項４１】
前記メモリは、前記少なくとも１つのルールを拡張可能マークアップ言語（ＸＭＬ）フォーマットで送信させるように前記プロセッサを構成する命令をさらに備える、請求項３７〜４０のいずれか一項に記載の移動局（１０２、２０２、３０２）。
【請求項４２】
前記メモリは、前記通信ネットワーク（１０４）に格納または提供されたそれぞれの情報であって、前記１つ以上の特定の移動局または該移動局のユーザに対して公表されたそれぞれのプレゼンスおよび／またはロケーション情報を含むそれぞれの情報に従った前記グループのメンバーを該グループに動的に加えることを前記サーバに可能にさせるように前記少なくとも１つのルールを送信させるように前記プロセッサを構成する命令をさらに格納する、請求項３７〜４１のいずれか一項に記載の移動局（１０２、２０２、３０２）。
【請求項４３】
通信ネットワーク（１０４）における他の移動局間で通信セッションを開始させる移動局（１０２、２０２、３０２）を作動させる方法であって、該通信セッションは、それぞれの移動局のユーザが相互に通信する通信セッションであり、
該方法は、
グループを作成および管理するように適合されたサーバ（３０８）に、該グループのメンバーを定義する少なくとも１つのルールを送信することを包含し、
該サーバは、該少なくとも１つのルールに従って決定される該移動局からのメンバーを該グループに加え、
該加えることは、どのユーザおよび／または該ユーザの該移動局が、該少なくとも１つルールに一致するかを決定することを含み、
該方法は、
該少なくとも１つのルールがグループアドレスに関連して送信され、該ルールは、該移動局が該グループ通信セッションを開始できるように、１つ以上の特定の移動局またはユーザに対して該通信ネットワーク（１０４）に格納および／または提供されたそれぞれの情報に従った該グループのメンバーを該サーバが該グループに動的に加えることを可能にすることを特徴とする、方法。
【請求項４４】
請求項２６〜３５のいずれか一項に記載のサーバと請求項３７〜４２のいずれか一項に記載の移動局とを含む遠距離通信システム。
【請求項４５】
請求項２６〜３５のいずれか一項に記載のサーバ上で実行可能なプログラムコード手段であって、請求項３６に記載の方法をインプリメントするプログラムコード手段を含む機械読み取り可能媒体。
【請求項４６】
請求項３７〜４２のいずれか一項に記載の移動局上で実行可能なプログラムコード手段であって、請求項４３に記載の方法をインプリメントするプログラムコード手段を含む機械読み取り可能媒体。